(57)【特許請求の範囲】
【請求項１】
測定物を載置する計量皿と、計量皿を支持するベースとを備えると共に、測定値を表示する表示部が取り付けられたポールを、前記ベースの外側の任意の位置に配置可能にしたことを特徴とする重量測定装置。
【請求項２】
測定物を載置する計量皿と、計量皿を支持するベースとを備えると共に、測定値を表示する表示部が取り付けられたポールを、前記ベース上の略中心を軸として回動する回動部材に取り付け、前記ベースの外側の任意の位置に配置可能にしたことを特徴とする重量測定装置。
【発明の詳細な説明】
【０００１】
【発明の属する技術分野】
本発明は、計量皿に測定物を載置して重量を測定する重量測定装置に関する。
【０００２】
【従来の技術】
従来、重量測定装置は、表示部が備えられたポールが、計量皿を支持するベースの所定の位置に固設されていた。そして、表示部がポールに対して、傾動及び回動可能に設けられていて、測定者は、表示部を動かすことで、可視方向の調節を行ない、表示された測定値を見やすくしていた。
【０００３】
また、計量皿よりも大きい測定物の測定を行なうときのため、測定物が表示器やポールに接触しないように、表示部が設けられたポールが、計量皿から離されて、独立して設置される場合があった。
【０００４】
【発明が解決しようとする課題】
ところが、測定物を計量皿に載せたり、計量皿から降ろしたりすることが、表示部が取り付けられた側からは、計量皿やポールが邪魔になってできないので、重量測定装置の設置・レイアウト環境によっては、最短距離で測定物を計量皿に載せられない場合もあった。すなわち、測定物の載せ降ろし頻度が最も低い側に表示部を位置決めした状態で、重量測定装置を設置できないこともあった。
【０００５】
また、表示部が設けられたポールを、計量皿から離して独立して設置する場合、表示部と本体側とを接続するケーブル等配線が露出するので、その管理を行なう必要があり、設置場所に制限があった。また、表示部が設けられたポールを安定させるために、ポールを固定するベースについても所定の大きさのものが必要となり、本体側と合わせて、その設置面積が増大した。
【０００６】
そこで、本発明は、計量皿に対する測定物の載置が簡便な重量測定装置の提供を目的とする。
【０００７】
【課題を解決するための手段】
本発明の重量測定装置は、測定物を載置する計量皿と、計量皿を支持するベースとを備えると共に、測定値を表示する表示部が取り付けられたポールを、計量皿への測定物の載置作業の妨げにならないベースの外側の任意の位置に配置可能としたことを特徴とする。
【０００８】
また、第２発明の重量測定装置は、測定物を載置する計量皿と、計量皿を支持するベースとを備えると共に、測定値を表示する表示部が取り付けられたポールを、ベース上の略中心を軸として回動する回動部材に取り付け、この回動部材を回動することで、表示部やポールが計量皿の外側で、計量皿への測定物の載置作業の妨げにならない任意の位置に配置可能としたことを特徴とする。
【０００９】
【発明の実施の形態】
以下、本発明の実施例について、図１〜３を用いて説明する。測定物Ｗを載置する計量皿１が、図示省略したロードセル等の荷重検出器を介して、ベース２に支持されている。ベース２の外周には、その外周に沿ってガイド３が支持部材４によって取り付けられており、このガイド３には、かみ合い部７を介してポール５が取り付けられている。
【００１０】
ポール５のかみ合い部７は、ガイド３上を摺動して、このガイド３上の任意の位置に移動することができ、かみ合い部７に設けられたネジ８を締めることにより、所定の位置に固定することができる。なお、かみ合い部７をガイド３に対して着脱可能な構造とすることで、ポール５をガイド３から取り外して移動し、所定の位置に固定することもできる。
【００１１】
このポール５には測定結果を表示する表示部６が設けられており、従来同様、表示部６はポール５に対して、傾動及び回動可能に構成されている。
【００１２】
次に、本実施例の重量測定装置の使用方法について説明する。例えば、図３において、Ａ側及びＢ側からの測定物の載せ降ろしが多い作業環境に本重量測定装置を設置する場合などは、予め、図示したような位置にポール５を取り付けておくことが好ましい。
【００１３】
このような位置にポール５を取り付けておくと、測定物をＡ側から載せるときも、Ｂ側から載せるときも、ポール５や表示部６が邪魔になって、作業の妨げになることがない。このほか、例えば、Ａ側、Ｂ側、Ｃ側から測定物の載せることが多いときは、Ｄ側へポール５を取り付けることが好ましい。
【００１４】
このように、本重量測定装置が設置された作業環境に応じてポール５及び表示部６が取り付けられた重量測定装置において、測定物Ｗを計量皿１に載せ、通常の重量測定を行なう。なお、ポール５に対して表示部６の向きを調整しておくことで、作業者が測定物Ｗの載せ降ろしをする場所に居ながらにして、測定値の読み取りが簡便になることで、さらに、測定作業の効率化を図ることができる。
【００１５】
また、本発明の他の実施例を図４に示す。図４はベース２を裏面から見た図であるが、ベース２の略中心の軸２２を中心として回動する回動部材２１が取り付けられている。この軸２２には、ネジ部材２３が設けられており、回動部材を位置決めした後固定することが可能である。そして、この回動部材２１には、ポール５が取り付けられており、図１と同様に、ポール５には測定結果を表示する表示部６が取り付けられている。なお、２４はベース２を支持する足である。
【００１６】
このような構成においては、ベース２に対して、ポール５及び表示器６を配置する部分へ回動部材２１を回動できるよう、予め、ポール５及び表示器６の設置予定の位置が含まれた範囲を規定する２つの足２４の間に、回動部材２１を軸２２に取り付けておき、本重量測定装置のセッティング時に、所望の位置に回動部材２１を位置決めした後に、ネジ部材２３を締め、これらポール５と表示部６とを所望する位置に配置するものである。
【００１７】
そして、測定物の載せ降ろしに支障がない場所にポール５と表示部６とを配置した重量測定装置において、通常の重量測定装置が行なわれる。
【００１８】
また、特に、回動部材２３を延長可能な部材で構成することで、測定物が計量皿からはみ出すような大きなものであっても、予め、回動部材２３を延長し、ポール５及び表示部６を計量皿から遠ざけて配置することで、測定物がポール５や表示部に接触することを防止できる。
【００１９】
【発明の効果】
以上のように、本発明によれば、測定物を載置する計量皿を支持するベースに対して、このベースの外周の任意の位置に、測定値を表示する表示部を取り付け可能にしたことにより、本重量測定装置の設置場所、設置方向にかかわらず、測定物の載せ降ろしに対し最も影響の少ない部位に表示器を取り付けられ、測定作業の効率化を図ることができる。
【図面の簡単な説明】
【図１】本発明の重量測定装置の概略構成図。
【図２】本発明の重量測定装置のポールの取り付け機構を示した概略構成図。
【図３】本発明の重量測定装置に測定物を載置した状態を示した図。
【図４】本発明の変形実施例の概略構成図。
【符号の説明】
Ｗ  測定物
１  計量皿
２  ベース
３  ガイド
４  支持部材
５  ポール
６  表示部
７  かみ合い部
８  ネジ
２１  回動部材
２２  軸
２３  ネジ部材
２４  足
【図１】
0004122667.tif 000002
【図２】
0004122667.tif 000003
【図３】
0004122667.tif 000004
【図４】
0004122667.tif 000005